(57)【特許請求の範囲】
【請求項１】
椅子における座面近傍であって、椅子の左右側における少なくともいずれか一方の前後の脚フレームにユニットが着脱自在に設けられ、該ユニットは合成樹脂により形成された中板と内板とで構成される上下方向に開口する差込穴を有し、該差込穴に上部にメモ台または肘掛け等を有する支持杆の少なくとも下部が嵌挿可能であり、前記支持杆の下部に設けられる係合部に差込穴内で係脱可能な係合爪を備えた移動体が前記ユニットの下方に突出していることを特徴とする椅子における支持杆取付装置。
【請求項２】
前記移動体は、弾性付勢手段により係合爪が係合部の方向に付勢されている請求項１に記載の椅子における支持杆取付装置。
【発明の詳細な説明】
【０００１】
【発明の属する技術分野】
本発明は、メモ台や肘掛け等を着脱自在に取り付け出来る椅子における支持杆取付装置に関する。
【０００２】
【従来の技術】
従来、椅子とは別体に構成されるメモ台や肘掛け等を着脱自在に取付け可能とした椅子としては、例えば特開平６−３８７１４号公報や、特開平８−２４０８１号公報等に開示されたものがある。
【０００３】
【発明が解決しようとする課題】
しかしながら、これらの椅子においては、メモ台が取り付けられた支持杆を、座裏に設けられた収納部内に、椅子の側面から挿入することにより取り付けるものであるため、椅子が左右方向に複数列設されている場合において、メモ台や肘掛け等を後から取り付けたり、または既に取り付けられているメモ台や肘掛け等を取り外すためには、隣接する椅子同士を離間させなければならず、容易にメモ台や肘掛け等を着脱出来ないといった問題があった。
【０００４】
本発明は、このような問題点に着目してなされたもので、椅子が左右方向に複数列設されている場合においても、メモ台や肘掛け等を椅子に容易に着脱することが出来る椅子における支持杆取付装置を提供することを目的とする。
【０００５】
【課題を解決するための手段】
上記課題を解決するために、本発明の椅子における支持杆取付装置は、椅子における座面近傍であって、椅子の左右側における少なくともいずれか一方の前後の脚フレームにユニットが着脱自在に設けられ、該ユニットは合成樹脂により形成された中板と内板とで構成される上下方向に開口する差込穴を有し、該差込穴に上部にメモ台または肘掛け等を有する支持杆の少なくとも下部が嵌挿可能であり、前記支持杆の下部に設けられる係合部に差込穴内で係脱可能な係合爪を備えた移動体が前記ユニットの下方に突出していることを特徴としている。
この特徴によれば、支持杆を、座面近傍に設けられた差込穴に対して、椅子の上下方向から抜き差し出来るので、椅子が左右方向に列設されている状態で、椅子に対してメモ台や肘掛け等を着脱することが出来る。また、差込穴内に嵌挿される支持杆の下部を、係合部と係合爪との係合作用により逸脱不能に保持出来るため、取り付けられたメモ台を安定して支持出来る。更に係合部と係合爪との係脱操作を、移動体を介して外部から容易に行うことが出来るとともに、支持杆の下部が、構造的に強固な前後の脚フレームに取り付けられるので、メモ台が安定して支持される。更にまた支柱杆の下部が差込穴内においてがたついても、大きな接触音が生じることがない。
【０００７】
本発明の椅子における支持杆取付装置は、前記移動体は、弾性付勢手段により係合爪が係合部の方向に付勢されていることが好ましい。このようにすれば、係合爪と係合部の結合が付勢できる。
【００１１】
【発明の実施の形態】
以下、本発明の実施例を図面に基づいて説明すると、まず図１には本発明が適用された椅子１の側面図が示されており、２は座面、３、３’は脚フレーム、４は背板、５はメモ台をそれぞれ示している。
【００１２】
メモ台５は、側面視略コ字形の支持杆６の上部に蝶番７を介して蝶着されており、図１中実線で示される水平位置と、一側端を上方に跳ね上げた垂直位置との間で回動出来るようになっている。支持杆６の下部には、後述する差込穴２３内に嵌挿可能な板状の嵌合板９が下方に向かって垂設されている。
【００１３】
座面２を支持する前後の脚フレーム３、３’は座面２の左右側にそれぞれ設けられており、これら前後の脚フレーム３、３’の上部間を連結する座面２左右側の水平フレーム１０、１０（図４参照）は、座面２の裏面に設けられる図示しない連結フレームを介して連結されている。
【００１４】
本実施例における椅子１の右側（図１中において手前側）の脚フレーム３、３’の上部側面には、図４に示されるように、スチール製の外側板１２と、外面にこの外側板１２の取付け用の凹部１３ａが形成され、内面に溝部８が形成された合成樹脂製の中板１３と、同じく合成樹脂製の内板１４とから構成されるユニット１１が、外側板１２、中板１３、内板１４それぞれに形成された孔部１５を挿通し、脚フレーム３、３’の上部に形成された雌ネジ孔１７に螺入するネジ１６を介して一体化されて取り付けられている。
【００１５】
中板１３の内面には、図２に示されるように凹状の溝部８が形成されており、この中板１３の内側に内板１４が取り付けられた時に上方に開口する細長の差込穴２３が形成され、上部の開口から嵌合板９を挿入出来るようになっている。溝部８の下部からは、下部が中板１３の下方に開放する細溝８’が連設されている。細溝８’内には、上部に嵌合板９の下部に形成される係合部１９に対して係脱可能な係合爪２０が設けられた移動体としての操作レバー１８が、軸２１を介して回転自在に枢支されている。
【００１６】
操作レバー１８の下部は、中板１３の下面より下方に突出されており、この下部を図２中矢印方向に移動させることで、係合部１９と係合爪２０との係脱操作を行えるようになっている。また、操作レバー１８の軸２１の下方所定箇所には、中板１３に設けられたバネ２２の一端が取り付けられており、反時計周りに付勢されている。
【００１７】
なお、外側板１２の外面には、ユニット１１を脚フレーム３、３’へ取付ける際に使用するネジ１６を介して、椅子１同士を左右方向に連結するための連結部材２４が固着されている。
【００１８】
次にメモ台５の椅子１への着脱方法、及びその作用を図面に基づいて説明する。まずメモ台５を椅子１に取り付ける場合、図１、２に示されるように、支持杆６の嵌合板９を、ユニット１１の上部に形成された開口から差込穴２３内に挿入する。差込穴２３内に挿通された嵌合板９の係合部１９のテーパ面１９ａと操作レバー１８のテーパ面１８ａとの摺接により、操作レバー１８が軸２１を中心に時計回りに回動され、嵌合板９の下端縁が差込穴２３の底面近傍まで挿通されると、操作レバー１８がバネ２２の付勢力により復帰し、係合爪２０が係合部１９に自動的に係合する。
【００１９】
この係合爪２０と係合部１９との係合作用により、嵌合板９の差込穴２３内からの逸脱が確実に防止されるとともに、嵌合板９の側面が、中板１３の内面と内板１４の外面とにより支持され、支持杆６の下部がユニット１１の上部に固設される。すなわち、取り付けられたメモ台５が椅子１に対して安定的に支持される。なお、中板１３及び内板１４が合成樹脂製であるため、嵌合板９が差込穴２３内においてがたついても、大きな接触音が生じることがない。
【００２０】
メモ台５を取り外す場合、ユニット１１の下方に突出された操作レバー１８の下部を後方に移動させ、係合爪２０と係合部１９との係合を解除する。この状態で支持杆６を上方に移動させれば、メモ台５を椅子１から簡単に取り外すことが出来る。
【００２１】
このように、椅子１の側面に取り付けられたユニット１１内に、嵌合板９を嵌挿可能とする差込穴２３が上方に開口するように形成されており、支持杆６を椅子１の上方から着脱自在に取り付けることが出来るので、椅子１が左右方向に隣り合うように列設されている場合においても、椅子１同士を離間させること等なく、メモ台５を椅子１に対して取り付け、または取り外すことが出来る。
【００２２】
また、嵌合板９の差込穴２３からの逸脱が係合爪２０と係合部１９との係合作用により確実に防止されるばかりか、操作レバー１８の下部を回動させることで、係合を外部から容易に解除することが出来る。さらにユニット１１が構造的に強固な脚フレーム３、３’に固定されているため、メモ台５が安定して支持される。
【００２３】
ユニット１１は、脚フレーム３、３’に対してネジ１６を介して着脱自在に取り付けられているため、メモ台５等が取り付けられていない椅子１にも、後付けによりメモ台５を着脱自在に取り付けることが出来る。
【００２４】
以上、本発明の実施例を図面により説明してきたが、具体的な構成はこれら実施例に限られるものではなく、本発明の要旨を逸脱しない範囲における変更や追加があっても本発明に含まれる。
【００２５】
例えば、本実施例において差込穴２３は、ユニット１１の上方に開口するように設けられていたが、ユニット１１の下方、もしくは前方あるいは後方に開口するように設けられていても、支持杆６を上下方向もしくは前後方向に抜き差し出来るので、椅子１が左右方向に隣り合うように列設されている状態で、椅子１同士を離間させること等なく、メモ台５を椅子１に対して取り付け、または取り外すことが出来る。
【００２６】
また、本実施例においては支持杆６にメモ台５が取り付けられていたが、他の用途にて使用するもの、例えば肘掛け等が取り付けられていてもよい。
【００２７】
【発明の効果】
本発明は以下の効果を奏する。
【００２８】
（ａ）請求項１項の発明によれば、支持杆を、座面近傍に設けられた差込穴に対して、椅子の上下方向から抜き差し出来るので、椅子が左右方向に列設されている状態で、椅子に対してメモ台や肘掛け等を着脱することが出来る。また、差込穴内に嵌挿される支持杆の下部を、係合部と係合爪との係合作用により逸脱不能に保持出来るため、取り付けられたメモ台を安定して支持出来る。更に係合部と係合爪との係脱操作を、移動体を介して外部から容易に行うことが出来るとともに、支持杆の下部が、構造的に強固な前後の脚フレームに取り付けられるので、メモ台が安定して支持される。更にまた支柱杆の下部が差込穴内においてがたついても、大きな接触音が生じることがない。
【００２９】
（ｂ）請求項２項の発明によれば、係合爪と係合部の結合が付勢できる。
【図面の簡単な説明】
【図１】本発明の適用された椅子を示す側面図である。
【図２】図１の要部を示す拡大側面図である。
【図３】図２のＡ−Ａ断面図である。
【図４】ユニットの構造を示す分解斜視図である。
【符号の説明】
１          椅子
２          座面
３          脚フレーム
５          メモ台
６          支持杆
７          蝶番
８          溝部
８’        細溝
９          嵌合板
１０        水平フレーム
１１        ユニット
１２        外側板
１３        中板
１３ａ      凹部
１４        内板
１５        孔部
１６        ネジ
１７        雌ネジ孔
１８        操作レバー（移動体）
１８ａ      テーパ面
１９        係合部
１９ａ      テーパ面
２０        係合爪
２１        軸
２２        バネ（付勢手段）
２３        差込穴
２４        連結部材
【図１】
0004224166.tif 000002
【図２】
0004224166.tif 000003
【図３】
0004224166.tif 000004
【図４】
0004224166.tif 000005